(57)【要約】【課題】足跨ぎ空間を大きくする。【解決手段】フロントフォーク１２を回転可能に支持するヘッドパイプ２１と、ヘッドパイプ２１から後下方に延出するメインフレーム３０と、メインフレーム３０の後部から下方に延出してスイングアーム１４を支持するピボットフレーム４０とを備え、メインフレーム３０の後部にシート１３を支持し、シート１３の前方に足跨ぎ空間Ｓ１を形成する鞍乗型車両の車体フレームであって、メインフレーム３０はヘッドパイプ２１から後下方に延出するアッパーパイプ３１と、アッパーパイプ３１の下方においてヘッドパイプ２１から後方に延出するダウンパイプ３２と、アッパーパイプ３１とダウンパイプ３２をと連結する連結パイプ３３とを備え、シート１３前の足跨ぎ空間Ｓ１の下方において、側面視で、アッパーパイプ３１とダウンパイプ３２とが上下方向に交差３４する。【選択図】図１
2014193658.tif 000002
【特許請求の範囲】
【請求項１】
前輪（１１Ｆ）を支持するフロントフォーク（１２）を回転可能に支持するヘッドパイプ（２１）と、ヘッドパイプ（２１）から後下方に延出するメインフレーム（３０）と、メインフレーム（３０）の後部から下方に延出してスイングアーム（１４）を支持するピボットフレーム（４０）とを備え、メインフレーム（３０）の後部にシート（１３）を支持し、シート（１３）の前方に足跨ぎ空間（Ｓ１）を形成する鞍乗型車両の車体フレームであって、
メインフレーム（３０）はヘッドパイプ（２１）から後下方に延出するアッパーパイプ（３１）と、アッパーパイプ（３１）の下方においてヘッドパイプ（２１）から後方に延出するダウンパイプ（３２）と、アッパーパイプ（３１）とダウンパイプ（３２）をと連結する連結パイプ（３３）とを備え、シート（１３）前の足跨ぎ空間（Ｓ１）の下方において、側面視で、アッパーパイプ（３１）とダウンパイプ（３２）とが上下方向に交差（交差部を符号（３４）で示す）することを特徴とする鞍乗型車両の車体フレーム。
【請求項２】
請求項１において、
前記交差部（３４）の前後においてエンジン（１５）を支持することを特徴とする鞍乗型車両の車体フレーム。
【請求項３】
請求項１または２において、
前記アッパーパイプ（３１）とダウンパイプ（３２）のうち少なくとも一方のパイプを、前記交差部（３４）の前後に亘る一本のパイプで構成したことを特徴とする鞍乗型車両の車体フレーム。
【請求項４】
請求項１〜３のうちいずれか一項において、
前記アッパーパイプ（３１）とダウンパイプ（３２）とが、前記交差部（３４）で連結されることを特徴とする鞍乗型車両の車体フレーム。
【請求項５】
請求項１〜４のうちいずれか一項において、
前記アッパーパイプ（３１）とダウンパイプ（３２）とが、前記交差部（３４）で、該交差部（３４）を構成するジョイント部材（３４ｊ）で連結されることを特徴とする鞍乗型車両の車体フレーム。
【請求項６】
請求項１〜５のうちいずれか一項において、
前記交差部（３４）の後方においてアッパーパイプ（３１）とダウンパイプ（３２）との間に形成される空間で、バッテリ配置空間（Ｓ２）を構成することを特徴とする鞍乗型車両の車体フレーム。
【発明の詳細な説明】
【技術分野】
【０００１】
本発明は、鞍乗型車両の車体フレームに関するものである。
【背景技術】
【０００２】
従来、例えば特許文献１に見られるように、シート前方に燃料タンクを配置したモーターサイクル型車両の車体フレームとして、ヘッドパイプから後方に延出する上下２本のメインパイプと、該上下メインパイプを連結する複数の連結パイプとから構成されたフレームが知られている。
一方、例えば、特許文献２に見られるように、シートの前方に足跨ぎ空間を形成した鞍乗型車両も知られている。
【先行技術文献】
【特許文献】
【０００３】
【特許文献１】特開平８−２１６９６０号公報
【特許文献２】特開２０１１−２５５８６９号公報
【発明の概要】
【発明が解決しようとする課題】
【０００４】
シートの前方に足跨ぎ空間を形成した鞍乗型車両においては、その足跨ぎ空間を大きくして車両への乗り降りを行いやすくすることが望まれる。
しかし、特許文献１記載の車体フレームは、モーターサイクル型車両の車体フレームであるため、これを、シートの前方に足跨ぎ空間を形成した鞍乗型車両に適用しても、足跨ぎ空間を大きくすることはできない。
本発明が解決しようとする課題は、足跨ぎ空間を大きくできる鞍乗型車両の車体フレームを提供することである。
【課題を解決するための手段】
【０００５】
上記課題を解決するために本発明の鞍乗型車両の車体フレーム（２０）は、
前輪（１１Ｆ）を支持するフロントフォーク（１２）を回転可能に支持するヘッドパイプ（２１）と、ヘッドパイプ（２１）から後下方に延出するメインフレーム（３０）と、メインフレーム（３０）の後部から下方に延出してスイングアーム（１４）を支持するピボットフレーム（４０）とを備え、メインフレーム（３０）の後部にシート（１３）を支持し、シート（１３）の前方に足跨ぎ空間（Ｓ１）を形成する鞍乗型車両の車体フレームであって、
メインフレーム（３０）はヘッドパイプ（２１）から後下方に延出するアッパーパイプ（３１）と、アッパーパイプ（３１）の下方においてヘッドパイプ（２１）から後方に延出するダウンパイプ（３２）と、アッパーパイプ（３１）とダウンパイプ（３２）をと連結する連結パイプ（３３）とを備え、シート（１３）前の足跨ぎ空間（Ｓ１）の下方において、側面視で、アッパーパイプ（３１）とダウンパイプ（３２）とが上下方向に交差（交差部を符号（３４）で示す）することを特徴とする。
この鞍乗型車両の車体フレーム（２０）によれば、シート（１３）前の足跨ぎ空間（Ｓ１）の下方において、アッパーパイプ（３１）とダウンパイプ（３２）とを交差させることで、足跨ぎ空間（Ｓ１）の下方におけるメインフレーム（３０）の上下方向高さ（Ｈ１）を低くすることができ、それによって、足跨ぎ高さ（Ｈ２）を下げて足跨ぎ空間（Ｓ１）を大きくすることができる。
【０００６】
この鞍乗型車両の車体フレーム（２０）においては、
前記交差部（３４）の前後においてエンジン（１５）を支持する構成とすることができる。
このように構成すると、エンジン（１５）が前記交差部（３４）の前後を連結する補強部材として機能するため、フレーム（２０）の強度、特に交差部（３４）の前後の強度を高めることができる。
【０００７】
この鞍乗型車両の車体フレーム（２０）においては、
前記アッパーパイプ（３１）とダウンパイプ（３２）のうち少なくとも一方のパイプを、前記交差部（３４）の前後に亘る一本のパイプで構成することができる。
このように構成すると、フレーム（２０）の部品点数を削減することができる。
【０００８】
この鞍乗型車両の車体フレーム（２０）においては、
前記アッパーパイプ（３１）とダウンパイプ（３２）とが、前記交差部（３４）で連結される構成とすることができる。
このように構成すると、車体フレーム（２０）の剛性を上げることができる。
【０００９】
この鞍乗型車両の車体フレーム（２０）においては、
前記アッパーパイプ（３１）とダウンパイプ（３２）とが、前記交差部（３４）で、該交差部（３４）を構成するジョイント部材（３４ｊ）で連結される構成とすることができる。
このように構成すると、パイプを長さ方向に対して直角に切断した面（Ｆ）をそのままでジョイント部材（３４ｊ）に溶接できるので、パイプ端面の追加加工を不要として生産性を向上させ、フレーム精度も向上させることができる。また、交差部（３４）の強度を上げて車体フレーム（２０）の剛性をより高めることができる。
【００１０】
この鞍乗型車両の車体フレーム（２０）においては、
前記交差部（３４）の後方においてアッパーパイプ（３１）とダウンパイプ（３２）との間に形成される空間で、バッテリ配置空間（Ｓ２）を構成することができる。
このように構成すると、交差部（３４）の後方におけるアッパーパイプ（３１）とダウンパイプ（３２）との間の空間（Ｓ２）を有効利用できると同時に、車両（１０）の低重心化を図ることができる。
【図面の簡単な説明】
【００１１】
【図１】本発明に係る鞍乗型車両の車体フレームの一実施の形態および車両の一例の概略を示す側面図。
【図２】本発明に係る鞍乗型車両の車体フレームの一実施の形態を示す図で、（ａ）は左半分を示す平面図、（ｂ）は側面図、（ｃ）は後方から見た部分省略図。
【図３】（ａ）は図２における３ａ−３ａ断面図、（ｂ）は図２における３ｂ−３ｂ断面図。
【図４】交差部（３４）の変形例を示す側面図。
【発明を実施するための形態】
【００１２】
以下、本発明に係る鞍乗型車両の車体フレームの実施の形態について図面を参照して説明する。なお、各図において、同一部分ないし相当する部分には、同一の符号を付してある。
【００１３】
図１、図２に示すように、この実施の形態の鞍乗型車両（１０）の車体フレーム（２０）は、前輪（１１Ｆ）を支持するフロントフォーク（１２）を回転可能に支持するヘッドパイプ（２１）と、ヘッドパイプ（２１）から後下方に延出するメインフレーム（３０）と、メインフレーム（３０）の後部から下方に延出してスイングアーム（１４）を支持するピボットフレーム（４０）とを備えている。ヘッドパイプ（２１）とメインフレーム（３０）、メインフレーム（３０）とピボットフレーム（４０）は溶接によって一体的に連結されている。
【００１４】
メインフレーム（３０）の後部は、運転者が座るシート（１３）を支持する。
シート（１３）の前方には、足跨ぎ空間（Ｓ１）が形成される。
メインフレーム（３０）はヘッドパイプ（２１）から後下方に延出するアッパーパイプ（３１）と、アッパーパイプ（３１）の下方においてヘッドパイプ（２１）から後方に延出するダウンパイプ（３２）と、アッパーパイプ（３１）とダウンパイプ（３２）をと連結する連結パイプ（３３）とを備えている。
アッパーパイプ（３１）とダウンパイプ（３２）とは、シート（１３）前の足跨ぎ空間（Ｓ１）の下方において、側面視で、上下方向に交差する（交差部を符号３４で示す）。
【００１５】
この鞍乗型車両の車体フレーム（２０）によれば、シート（１３）前の足跨ぎ空間（Ｓ１）の下方において、アッパーパイプ（３１）とダウンパイプ（３２）とを交差させることで、足跨ぎ空間（Ｓ１）の下方におけるメインフレーム（３０）の上下方向高さ（Ｈ１）（図１参照）を低くすることができ、それによって、足跨ぎ高さ（Ｈ２）を下げて足跨ぎ空間（Ｓ１）を大きくすることができる。
【００１６】
例えば、図１に仮想線で示すように、車体フレーム（２０）を車体カバー（１６）で覆う場合、足跨ぎ空間（Ｓ１）の下方におけるメインフレーム（３０）の上下方向高さ（Ｈ１）を低くすることで足跨ぎ空間（Ｓ１）を形成する車体カバー（１６）の最低高さ（Ｈ２）を低くすることができるが、車体カバー（１６）を設けない場合には、足跨ぎ空間（Ｓ１）の下方におけるメインフレーム（３０）の上下方向高さ（Ｈ１）が足跨ぎ高さ（Ｈ２）となる。すなわち、Ｈ１＝Ｈ２となる。
【００１７】
連結パイプ（３３）はアッパーパイプ（３１）とダウンパイプ（３２）とを連結すべく、アッパーパイプ（３１）とダウンパイプ（３２）の間の適所に設けることができる。図示のものはジグザグ状に４本設けてある。連結パイプ（３３）はアッパーパイプ（３１）およびダウンパイプ（３２）に対し、溶接によって連結することができる。
【００１８】
車体フレーム（２０）は、交差部（３４）の前後においてエンジン（１５）を支持する。
このように構成すると、エンジン（１５）が前記交差部（３４）の前後を連結する補強部材として機能するため、フレーム（２０）の強度、特に交差部（３４）の前後の強度を高めることができる。
【００１９】
図示の車体フレーム（２０）においては、メインフレーム（３０）の交差部（３４）の前後に亘ってエンジンハンガ（３５ａ、ｃ、ｄ）が設けられており、これらエンジンハンガ（３５ａ、ｃ、ｄ）によってエンジン（１５）が支持されている。エンジンハンガ（３５ａ）は交差部（３４）の前方においてダウンパイプ（３２）に設けられ、エンジンハンガ（３５ｃ）（３５ｄ）はピボットフレーム（４０）に設けられている。
【００２０】
この鞍乗型車両の車体フレーム（２０）においては、アッパーパイプ（３１）とダウンパイプ（３２）のうち少なくとも一方のパイプを、交差部（３４）の前後に亘る一本のパイプで構成することができる。
このように構成すると、フレーム（２０）の部品点数を削減することができる。
図示のものは、アッパーパイプ（３１）とダウンパイプ（３２）の両方が、交差部（３４）の前後に亘る一本のパイプで構成されている。
【００２１】
アッパーパイプ（３１）とダウンパイプ（３２）とは、必ずしも交差部（３４）で連結する必要はないが、交差部（３４）で連結することが望ましい。
交差部（３４）で連結することによって、車体フレーム（２０）の剛性を上げることができる。
連結手段は適宜の手段を採用でき、溶接による連結、ボルトによる連結、ジョイント部材を用いた連結、等を採用することができる。
【００２２】
例えば図４に示すように、アッパーパイプ（３１）とダウンパイプ（３２）とは、交差部（３４）で、該交差部（３４）を構成するジョイント部材（３４ｊ）で連結される構成とすることができる。
このように構成すると、パイプを長さ方向に対して直角に切断した面（Ｆ）をそのままでジョイント部材（３４ｊ）に溶接できるので、パイプ端面の追加加工を不要として生産性を向上させ、フレーム精度も向上させることができる。また、交差部（３４）の強度を上げて車体フレーム（２０）の剛性をより高めることができる。
ジョイント部材（３４ｊ）と各パイプ（３１）（３２）（３１’）（３２’）とは溶接によって一体的に結合する。
【００２３】
図１，図２に示すように、この車体フレーム（２０）は、交差部（３４）の後方においてアッパーパイプ（３１）とダウンパイプ（３２）との間に形成される空間で、バッテリ配置空間（Ｓ２）を構成している。バッテリを符号（Ｂ）で示す。
このように構成すると、交差部（３４）の後方におけるアッパーパイプ（３１）とダウンパイプ（３２）との間の空間（Ｓ２）を有効利用できると同時に、低位置にある交差部（３４）の後方に、比較的重い部品であるバッテリ（Ｂ）が配置されることによって、車両（１０）の低重心化を図ることができる。
【００２４】
図２および図３に示すように、アッパーパイプ（３１）、ダウンパイプ（３２）は左右に設けられている。計４本のパイプで形成される空間（Ｓ３）には、種々の部品（例えば、エアクリーナ、電装品（イグニッションコイル、レギュレータ、ハーネス等）、スロットルケーブル、キャニスタ、等々）を配置することができる。
【００２５】
図２（ｂ）、および図３（ａ）において、（６０）はエアクリーナであり、その一部（６０ｂ）が上記空間（Ｓ３）に配置されている。これにより、吸気前のエアボリューム（スペース）が大きく取れる為、安定したドライバビリティ性能を確保できる。
また、図２（ｂ）、および図３（ｂ）において、（６１）は空間（Ｓ３）に配置されたキャニスタである。（６１ｓ）はキャニスタ（６１）をメインフレーム（３０）に取り付けるためのステーである。
【００２６】
図２に示すように、左右のアッパーパイプ（３１）同士、および左右のダウンパイプ（３２）同士は、クロスメンバ（３１ｃ）、（３２ｃ）で連結されている。クロスメンバ（３１ｃ）、（３２ｃ）は適宜の箇所に設けることができるが、この実施の形態では、アッパーパイプ（３１）と連結パイプ（３３）との接合部、およびダウンパイプ（３２）と連結パイプ（３３）との接合部に設けることによって、メインフレーム（３０）の剛性を高めている。この実施の形態において、アッパーパイプ（３１）と連結パイプ（３３）との接合部は複数（図では２箇所）、ダウンパイプ（３２）と連結パイプ（３３）との接合部も複数（図では２箇所）あるが、それら複数の接合部のうちの少なくとも１箇所をクロスメンバ（３１ｃ）ないし（３２ｃ）で連結することで、メインフレーム（３０）の剛性を高めることができる。
また、例えば図４に示すように、左右の交差部（３４）同士をクロスメンバ（３４ｃ）で連結することによって剛性を高めることができる。
【００２７】
図１に示すように、ヘッドパイプ（２１）には、ハンドル（１２ｈ）が回動可能に取り付けられており、シート（１３）に跨るようにして座った運転者がハンドル（１２ｈ）を操作することによって、前輪（１１Ｆ）が操舵される。エンジン（１５）の下面に、ステップステー（１７）が取り付けられており、このステップステー（１７）の両端に運転者が足を置く左右の運転者用ステップ（１７ｓ）が設けられている。
【００２８】
メインフレーム（３０）の上部には、シート（１３）を下方から支持する収納ボックス（６２）（または燃料タンク（６３））を支持するためのブラケット（３６）が設けられている。
このブラケット（３６）によって、メインフレーム（３０）上に収納ボックス（６２）（または燃料タンク（６３））が取り付けられ、その上部にシート（１３）が取り付けられる。
【００２９】
メインフレーム（３０）は、アッパーパイプ（３１）の後部とダウンパイプ（３２）の後部とを連結し、かつ、上方後部に延びるリアフレーム（５０）を備えている。
メインフレーム（３０）上に収納ボックス（６２）を取り付けた場合には、リアフレーム（５０）上に燃料タンク（６３）を取り付ける。メインフレーム（３０）上に燃料タンク（６３）を取り付けた場合には、リアフレーム（５０）上に収納ボックス（６２）を取り付ける。
【００３０】
ピボットフレーム（４０）には、スイングアーム（１４）を揺動可能に支持するピボット軸（１４ｐ）を支持するピボット軸受（４１）が設けられており、これによってスイングアーム（１４）が揺動可能に支持される。スイングアーム（１４）の後端には、エンジン（１５）で駆動される後輪（１１Ｒ）が支持されている。スイングアーム（１４）とリアフレーム（５０）との間には、クッションユニット（６４）が設けられる。
図２（ｂ）において、（５１）はクッションユニット（６４）の上部との連結部、（５２）はピリオンステップ取付用のブラケットである。
【００３１】
図２に示すように、ピボットフレーム（４０）は、アッパーパイプ（３１）の後部における湾局部内側に一体的に溶接されており、ピボットフレーム（４０）の上端および下端に対応する部位において、左右のアッパーパイプ（３１）がクロスメンバ（３１ｃ）でそれぞれ連結されている。これによってピボットフレーム（４０）周りの強度が高められている。
【００３２】
以上、本発明の実施の形態について説明したが、本発明は上記の実施の形態に限定されるものではなく、本発明の要旨の範囲内において適宜変形実施可能である。
【符号の説明】
【００３３】
１０：鞍乗型車両、１１Ｆ：前輪、１１Ｒ：後輪、１２：フロントフォーク、１３：シート、１４：スイングアーム、１５：エンジン、２０：車体フレーム、２１：ヘッドパイプ、３０：メインフレーム、３１：アッパーパイプ、３２：ダウンパイプ、３３：連結パイプ、３４：交差部、３４ｊ：ジョイント部材、４０：ピボットフレーム、Ｓ１：足跨ぎ空間、Ｓ２：バッテリ配置空間。
【図１】
2014193658.tif 000003
【図２】
2014193658.tif 000004
【図３】
2014193658.tif 000005
【図４】
2014193658.tif 000006